(57)【要約】【課題】  所定撮影モードにおいて前回設定された所定撮影条件を所定撮影モードにおいて次回撮影する際に容易かつ迅速に読出すことができる撮像装置を提供する。【解決手段】  被写体光を撮像する撮像部２８及び画像を表示する表示部１２を備えた撮像装置において、所定撮影条件を設定可能な所定撮影モードにおいて実行された撮影に関する設定及び撮影以外の機能に関する設定の少なくとも一方の設定情報を記憶する記憶部３１と、前記所定撮影モードが解除された後、前記所定撮影モードに再移行した際に、所定条件を満たしているか否かを判別する判別部２６と、前記判別部２６による判別結果に基づいて、前記記憶部３１に記憶されている前記設定情報の存在を示すための存在表示を前記表示部１２に表示するか否かを制御する制御部２６とを備える。【選択図】  図４
2011135392.tif 000002
【特許請求の範囲】
【請求項１】
被写体光を撮像する撮像部及び画像を表示する表示部を備えた撮像装置において、
所定撮影条件を設定可能な所定撮影モードにおいて実行された撮影に関する設定及び撮影以外の機能に関する設定の少なくとも一方の設定情報を記憶する記憶部と、
前記所定撮影モードが解除された後、前記所定撮影モードに再移行した際に、所定条件を満たしているか否かを判別する判別部と、
前記判別部による判別結果に基づいて、前記記憶部に記憶されている前記設定情報の存在を示すための存在表示を前記表示部に表示するか否かを制御する制御部と、
を備えることを特徴とする撮像装置。
【請求項２】
前記判別部は、前記所定撮影モードが解除された時から所定時間以内に前記所定撮影モードに再移行した場合には、前記所定条件を満たしていると判別し、
前記制御部は、前記判別部により前記所定条件を満たしていることを判別されると、前記存在表示を前記表示部に表示することを特徴とする請求項１記載の撮像装置。
【請求項３】
前記所定時間は、前記所定撮影モードが解除された時間帯に基づいて設定されることを特徴とする請求項２記載の撮像装置。
【請求項４】
前記所定時間は、前記所定撮影モードが解除された時から日付が変わる時までの時間に設定されることを特徴とする請求項２記載の撮像装置。
【請求項５】
前記所定時間は、前記撮影に関する設定情報を記憶している場合と、前記撮影以外の機能に関する設定情報を記憶している場合とで異なることを特徴とする請求項２記載の撮像装置。
【請求項６】
前記所定時間として２つ以上の時間が設定されている場合において、前記所定撮影モードが解除される際に、前記所定時間に関する情報を報知する報知部を備えることを特徴とする請求項２〜請求項５の何れか一項に記載の撮像装置。
【請求項７】
前記判別部は、前記設定情報が、当該設定情報を前記記憶部に記憶せしめる外部操作が使用者によりなされたために当該記憶部に記憶されたものである場合には、前記所定条件を満たしていると判別し、
前記制御部は、前記判別部により前記所定条件を満たしていることを判別されると、前記存在表示を前記表示部に表示することを特徴とする請求項１記載の撮像装置。
【請求項８】
前記所定撮影モードは、前記表示部に、前記設定情報を設定するためのガイダンス表示を行いながら設定入力された前記設定情報に従って撮影動作を行う撮影モードであることを特徴とする請求項１〜７の何れか一項に記載の撮像装置。
【請求項９】
前記制御部は、
前記表示部に表示されている前記存在表示が選択されると、前記記憶部に記憶されている前記設定情報の読出しを行うことを特徴とする請求項１〜８の何れか一項に記載の撮像装置。
【発明の詳細な説明】
【技術分野】
【０００１】
本発明は、撮像装置に関するものである。
【背景技術】
【０００２】
カメラに不慣れな初心者であっても適切な撮影条件を設定することができるように、ガイダンス１階層をＬＣＤ等の表示部に表示し、該ガイダンス１階層において「被写体を明るく撮影したい」「逆光で撮影したい」等の複数の項目の中の１つをユーザーに選択させ、ガイダンス１階層で選択された項目の下位の階層として展開されるガイダンス２階層を表示部に表示し、該ガイダンス２階層において「フラッシュを強制発光にする」等の複数の項目の中の１つをユーザーに選択させ、ガイダンス１階層及びガイダンス２階層において選択された項目に基づいて撮影条件を設定するガイダンスモードを備えたカメラが提案されている（例えば、特許文献１参照）。
【先行技術文献】
【特許文献】
【０００３】
【特許文献１】特開２００７−２０１６９３号公報
【発明の概要】
【発明が解決しようとする課題】
【０００４】
ところで、上述の特許文献１記載のカメラでは、ガイダンスモードにおいて設定された撮影条件はカメラの電源をオフしたときに初期化される。したがって、次にカメラの電源をオンした後、カメラの電源をオフする前にガイダンスモードにおいて設定された撮影条件下で再び撮影したい場合でも、ガイダンスモードにおいて同一の撮影条件を再度設定する必要があった。
【０００５】
本発明の目的は、所定撮影モードにおいて前回設定された所定撮影条件を所定撮影モードにおいて次回撮影する際に容易かつ迅速に読出すことができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、被写体光を撮像する撮像部（２８）及び画像を表示する表示部（１２）を備えた撮像装置（２）において、所定撮影条件を設定可能な所定撮影モードにおいて実行された撮影に関する設定及び撮影以外の機能に関する設定の少なくとも一方の設定情報を記憶する記憶部（３１）と、前記所定撮影モードが解除された後、前記所定撮影モードに再移行した際に、所定条件を満たしているか否かを判別する判別部（２６）と、前記判別部（２６）による判別結果に基づいて、前記記憶部（３１）に記憶されている前記設定情報の存在を示すための存在表示を前記表示部（１２）に表示するか否かを制御する制御部（２６）とを備えることを特徴とする。
【発明の効果】
【０００８】
本発明の撮像装置によれば、所定撮影モードにおいて前回設定された所定撮影条件の有無を知ることができる。このため使用者は、当該所定撮影モードにおいて次回撮影する際に、その前回設定された撮影条件を読み出して使用することを、選択肢の１つとすることもできる。
【図面の簡単な説明】
【０００９】
【図１】実施の形態に係るカメラの外観を示す上面図である。
【図２】実施の形態に係るカメラの外観を示す背面図である。
【図３】実施の形態に係るモードダイヤルの構成を示す図である。
【図４】実施の形態に係るカメラのシステム構成を示すブロック図である。
【図５】実施の形態に係る背面液晶パネルの表示例を示す図である。
【図６】実施の形態に係る背面液晶パネルの表示例を示す図である。
【図７】実施の形態に係る背面液晶パネルの表示例を示す図である。
【図８】実施の形態に係る背面液晶パネルの表示例を示す図である。
【図９】第１の実施の形態に係るカメラにおける電源オフ時の動作について説明するためのフローチャートである。
【図１０】実施の形態に係るカメラにおける電源オン時の動作について説明するためのフローチャートである。
【図１１】実施の形態に係る背面液晶パネルの表示例を示す図である。
【図１２】実施の形態に係るカメラにおいて前回設定が選択された場合の動作について説明するためのフローチャートである。
【図１３】実施の形態に係る背面液晶パネルの表示例を示す図である。
【図１４】第２の実施の形態に係る背面液晶パネルの表示例を示す図である。
【図１５】第２の実施の形態に係る背面液晶パネルの表示例を示す図である。
【図１６】第２の実施の形態に係るカメラにおける電源オフ時の動作について説明するためのフローチャートである。
【図１７】第２の実施の形態に係る背面液晶パネルの表示例を示す図である。
【図１８】実施の形態に係る背面液晶パネルの表示例を示す図である。
【図１９】実施の形態に係る背面液晶パネルの表示例を示す図である。
【発明を実施するための形態】
【００１０】
以下、図面を参照して、本発明の実施の形態に係る撮像装置としてのカメラについて説明する。図１及び図２は、第１の実施の形態に係るカメラ２の外観を示す図であり、図１は上面図、図２は背面図である。図１に示すように、カメラ２の上面には、カメラ２の電源をオンオフする電源スイッチ４、撮影等を指示するレリーズスイッチ６、及びガイドモードや様々な撮影モードに切り換えるモードダイヤル１０が設けられている。
【００１１】
また、図２に示すように、カメラ２の背面には、画像等を再生表示する背面液晶パネル１２、記録媒体３０（図４参照）に記録されている画像の再生表示を指示する再生ボタン１４、カメラ２の各種設定を行うメニュー画面の表示を指示するメニューボタン１６、背面液晶パネル１２に再生表示されている画像の縮小表示を指示する縮小ボタン１８、背面液晶パネル１２に再生表示されている画像の拡大表示を指示する拡大ボタン２０、メニュー項目等の選択やカーソルを移動させるための十字操作キー２２、各種選択項目に対する選択確定操作を行うためのＯＫ（決定）ボタン２３が設けられている。
【００１２】
図３は、モードダイヤル１０の構成を示す図である。図３に示すように、モードダイヤル１０は、ユーザーにより時計回りまたは反時計回りに回され、指標１１の位置に対向配置される任意の操作位置（図３では、操作位置１０ａ）を選択可能に構成されている。即ち、図３に示すように、操作位置１０ａが選択された場合には、カメラ２は、所定撮影条件を設定可能なガイドモードに設定される。ガイドモードにおいては、撮影に関する設定、再生・削除に関する設定、カメラ２に関する設定を選択可能な画面を、背面液晶パネル１２に表示する機能を実行する。ここで、ガイドモードとは、撮影や、再生・削除や、その他のカメラの各種設定を、カメラ操作に不慣れな使用者にも容易に行わせるために、カメラが使用者にガイダンス表示しながら（ガイダンスメニューを表示しながら）使用者の選択操作を促す設定入力モードの１つである。このガイドモードでは、使用者に各種条件を段階的（順次）に選択設定させるために、ガイドモードでは、各設定段階における設定メニューが階層構造で構成されており、使用者が選択設定する際に、各階層における設定メニューが表示部に順次表示されるようになっている。ユーザーは表示部に順次表示される各設定メニュー内容に基づいて、設定入力を進めることで、所望の状態（撮影条件、再生・削除条件、その他のカメラの設定状態）にカメラを設定することができる。このガイドモードの詳細な使い方については、後述する。
【００１３】
また、操作位置１０ｂが選択された場合には、撮影条件等をカメラ２が自動で設定し、撮影を実行させるオート撮影モードに、操作位置１０ｃが選択された場合には、非発光での撮影を実行させる発光禁止用撮影モードに、操作位置１０ｄが選択された場合には、人物を撮影するのに最適な撮影条件に設定されるポートレート用撮影モードに、操作位置１０ｅが選択された場合には、風景を撮影するのに最適な撮影条件に設定される風景用撮影モードに、操作位置１０ｆが選択された場合には、子供を撮影するのに最適な撮影条件に設定される子供スナップ用撮影モードに、操作位置１０ｇが選択された場合には、スポーツ等の一瞬の動きを撮影するのに最適な撮影条件に設定されるスポーツ用撮影モードに、操作位置１０ｈが選択された場合には、草花や昆虫を接写するのに最適な撮影条件に設定されるクローズアップ用撮影モードに、操作位置１０ｉが選択された場合には、夜景や夕景をバックに人物を撮影するのに最適な撮影条件に設定される夜景ポートレート用撮影モードに、操作位置１０ｊが選択された場合には、シャッタースピード及び絞り値を手動で設定するマニュアル露出モードに、操作位置１０ｋが選択された場合には、絞り値を手動で設定する絞り優先露出モードに、操作位置１０ｍが選択された場合には、シャッタースピードを手動で設定するシャッター優先露出モードに、操作位置１０ｎが選択された場合には、シャッタースピード及び絞りをカメラ２が自動で設定するプログラム露出モードに設定される。
【００１４】
図４は、第１の実施の形態に係るカメラ２のシステム構成を示すブロック図である。図４に示すように、カメラ２は、制御部２６、撮像素子２８、記録媒体３０、背面液晶パネル１２、記憶部３１、電源スイッチ４、レリーズスイッチ６、モードダイヤル１０、再生ボタン１４、メニューボタン１６、縮小ボタン１８、拡大ボタン２０、十字操作キー２２、及びＯＫ（決定）ボタン２３を備えて構成されている。
【００１５】
制御部２６は、ＣＰＵ等により構成され、カメラ２の各部を統括的に制御する。この実施の形態では、後述するガイドモードにおいて設定され、記憶部３１に記憶された撮影、再生及びカメラ２に関する設定情報の存在の有無を示す「存在表示」（本実施形態では、存在を示すアイコン表示）を背面液晶パネル１２に表示するか否かを制御する。なお、撮影、再生及びカメラ２に関する設定情報については後述する。
【００１６】
なお本実施形態では、この「存在表示」は、その記憶部３１に記載されている設定情報の読出しを指示するための「読出用表示」としても同時に機能するものである。このため使用者がこの存在表示を選択すると、カメラは対応する設定情報の読出しを行って、その読み出された設定情報をカメラの設定情報として背面液晶パネル１２に表示する。本実施形態では、以降では、「存在表示」＝「読出用表示」（すなわち存在表示と読出用表示とが兼用されているもの）として説明するが、本発明はこれに限られるものではなく、存在表示と読出用表示とを別表示（別のアイコン表示）として表示部に表示するようにしても良い。
【００１７】
撮像素子２８は、ＣＣＤまたはＣＭＯＳ等により構成され、図示しない撮影レンズを透過した被写体からの被写体光を撮像する。記録媒体３０は、カメラ２に設けられた記録媒体差込口（図示せず）に着脱可能に装着される可搬性を有する記録媒体である。記録媒体３０には、撮像素子２８から出力された撮像信号に基づき生成された画像が撮影日時、絞り値、シャッタースピード等、その他画像に関する情報と共に記録されている。
【００１８】
背面液晶パネル１２は、撮像素子２８から出力された撮像信号に基づくスルー画像、記録媒体３０に記録されている画像、記録媒体３０に記録されている画像に関する情報、及びメニュー画面等を表示する。記憶部３１は、後述するガイドモードにおいて実行された撮影、再生及びカメラ２に関する設定情報を記憶する。
【００１９】
次に、この実施の形態に係るモードダイヤル１０の操作位置１０ａに対応するガイドモードについて説明する。ユーザーにより操作位置１０ａが選択されると、制御部２６は、ガイドモードに移行し、図５に示すように、背面液晶パネル１２に画面３２を表示する。ユーザーは、撮影に関する設定を実行する場合には「撮る」を、再生または削除に関する設定を実行する場合には「見る・消す」を、カメラ２に関する設定を実行する場合には「設定する」を、十字操作キー２２等を用いて選択する。なお、図５においては、「撮る」が選択されており、また、バッテリの残容量を示す残容量マーク３２ａ、現在設定されている撮影モードを示す撮影モードマーク３２ｂ、記録媒体３０の残容量に対して記録可能なコマ数３２ｃ等が表示されている。
【００２０】
ユーザーにより「撮る」が選択され、ＯＫ（決定）ボタン２３が押下されると、制御部２６は、図６に示すように、撮影に関する設定（次の階層における設定入力）を行うための画面３４を背面液晶パネル１２に表示する。ユーザーは、人物や風景等、場面にあわせて撮影条件を設定する場合には「場面にあわせて撮る」を、シャッタースピードや絞り等を手動で設定する場合には「テクニックを使って撮る」を、十字操作キー２２の上下ボタン等を用いて選択する。なお、図６においては、「テクニックを使って撮る」が選択されており、また、十字操作キー２２の左ボタンを押下すると前の画面３２（図５参照）に戻れることを示す「戻るマーク」３４ａが表示されている。
【００２１】
次に、ユーザーにより「テクニックを使って撮る」が選択され、ＯＫ（決定）ボタン２３が押下されると、制御部２６は、図７に示すように、「テクニックを使って撮る」場合の更なる撮影に関する設定（更に次の階層における設定入力）を行うための画面４０を背面液晶パネル１２に表示する。次に、ユーザーにより「人物の動きを止めて撮る」が選択され、ＯＫ（決定）ボタン２３が押下されると、制御部２６は、「人物の動きを止めて撮る」場合におけるアドバイス情報を含む説明を行うための画面（図示せず）を背面液晶パネル１２に表示する。そして、ユーザーによりＯＫ（決定）ボタン２３が押下されると、制御部２６は、シャッタースピードを設定するための画面（図示せず、更に次の階層における設定入力）を背面液晶パネル１２に表示する。そして、ユーザーにより十字操作キー２２の上下ボタン等を用いてシャッタースピードが設定され、ＯＫ（決定）ボタン２３が押下されると、制御部２６は、図８に示すように、設定されたシャッタースピード等を示す画面４６を背面液晶パネル１２に表示する。ユーザーは、設定したシャッタースピードで撮影を行う場合には、画面４６上の「撮影を始める」を選択し、ＯＫ（決定）ボタン２３を押下する。
【００２２】
なお、図６に示す画面３４において「場面にあわせて撮る」を選択した場合、図７に示す画面４０において「乗り物の動きを止めて撮る」や「背景をぼかして撮る」を選択した場合においても、制御部２６は、更なる設定（次の階層における設定入力）を行うための画面やアドバイス情報を含む説明を行うための画面等を背面液晶パネル１２に表示し、ユーザーにより選択された項目に適したシャッタースピードや絞り値等の撮影条件を設定する。
【００２３】
次に、図５に示す画面３２上に表示されている「見る・消す」を選択した場合について説明する。「見る・消す」が選択されると、制御部２６は、例えば、「１枚見る」「複数枚見る」「日付を選んで見る」「スライドショーで見る」「撮影した画像を消す」等の項目が表示された画面（図示せず、次の階層における設定入力画面）を背面液晶パネル１２に表示する。「１枚見る」が選択されると、制御部２６は、最後または最初に記録媒体３０に記録された最新または最古の画像を背面液晶パネル１２に再生表示する。「複数枚を見る」が選択されると、例えば４コマや９コマ分の最新または最古のサムネイル画像を背面液晶パネル１２に再生表示する。「日付を選んで見る」が選択されると、日付を入力するためのカレンダー等を背面液晶パネル１２に表示し、ユーザーにより選択された日付に撮影された画像を自動抽出し、自動抽出された画像を背面液晶パネル１２に再生表示する。「スライドショーで見る」が選択されると、予め設定されている時間間隔で、記録媒体３０に記録されている画像を、背面液晶パネル１２に順次自動的にコマ送りしながらスライドショー再生表示する。
【００２４】
「撮影した画像を消す」が選択されると、制御部２６は、「複数画像をまとめて消す」「日付を指定して消す」「すべての画像を消す」等の項目が表示された画面（図示せず、次の階層における設定入力画面）を背面液晶パネル１２に表示する。「複数画像をまとめて消す」が選択されると、制御部２６は、背面液晶パネル１２に表示されたサムネイル画像の一覧からユーザーにより選択されたサムネイル画像に対応する画像を記録媒体３０から削除する。「日付を指定して消す」が選択されると、制御部２６は、日付を入力するためのカレンダー等を背面液晶パネル１２に表示し、ユーザーにより選択された日付に撮影された画像を記録媒体３０から削除する。「すべての画像を消す」が選択されると、制御部２６は、記録媒体３０に記録されているすべての画像を削除する。なお、画像の削除を実行する前に、画像を削除してよいか否かを確認するメッセージ等を表示する。
【００２５】
次に、図５に示す画面３２上に表示されている「設定する」を選択した場合について説明する。「設定する」が選択されると、制御部２６は、「画質モード」「画像サイズ」「液晶モニターの明るさ」「地域の設定」「日時の設定」「日付の表示方法」「夏時間の設定」「パワーオフ時間」等の設定項目が表示された画面（次の階層における設定入力画面）を背面液晶パネル１２に表示する。ここで、ガイドモード下のカメラ２に関する設定で挙げられる設定項目は、通常の（ガイドモード下でない）カメラ２に関する設定項目の中で、設定頻度の高い項目、初心者が容易に設定可能な項目等を抽出して構成されている。
【００２６】
制御部２６は、「画質モード」が選択されると、選択可能な画質の種類（次の階層における設定入力画面）を表示し、「画像サイズ」が選択されると、選択可能な画像サイズの種類（次の階層における設定入力画面）を表示し、「液晶モニターの明るさ」が選択されると、明るさを設定するための画面（次の階層における設定入力画面）を表示し、「地域と日時」が選択されると、「地域の設定」「日時の設定」「日付の表示方法」「夏時間の設定」等の選択可能な項目（次の階層における設定入力画面）を表示し、「パワーオフ時間」が選択されると、選択可能なパワーオフ時間（通常動作モードを継続する継続時間）の種類（次の階層における設定入力画面）を表示する。そして、ユーザーにより設定項目に関する所望の設定値が選択されると、制御部２６は、選択された所望の設定値に基づいて、設定項目の設定を行う。
【００２７】
なお、上述のように、ガイドモード下で撮影、再生、削除またはカメラ２に関する設定を行っている途中（例えば図６〜図８に示す画面が背面液晶パネル１２に表示されている状態）であっても、ユーザーにより所定の操作部材（例えば、メニューボタン１６）が押下されると、制御部２６は、背面液晶パネル１２に図５に示す画面３２を表示する。よって、ユーザーは、ガイドモード下における撮影、再生、削除またはカメラ２に関する設定を改めて最初から行うことができる。
【００２８】
制御部２６は、ガイドモード下において撮影またはカメラ２に関する設定等を終了した後、撮影待機状態の画面（図示せず）を背面液晶パネル１２に表示する。この画面には、ガイドモード下で設定されたものであるか否かを示すマーク、設定されているシャッタースピード、絞り値、オートフォーカスエリア、画質モード、画像サイズ、ホワイトバランス、ＩＳＯ感度、測光モード等が表示される。
【００２９】
この実施の形態では、上述のように、ガイドモード下において撮影、再生及びカメラ２に関して設定された設定情報（例えば、シャッタースピード、絞り値、オートフォーカスエリア、画質モード、画像サイズ、ホワイトバランス、ＩＳＯ感度、測光モード、スライドショーの時間間隔等）を記憶部３１に記憶させ、後で読み出すことができる。以下、図９に示すフローチャートを参照して、この実施の形態に係るカメラ２における電源オフ時の制御部２６の動作について説明する。
【００３０】
まず、制御部２６は、モードダイヤル１０の操作位置１０ａが選択されている状態、即ちガイドモードに設定されている状態で、ユーザーによりカメラ２の電源オフを指示する電源スイッチ４の押下がなされると（ステップＳ１０、Ｙｅｓ）、ガイドモード下における撮影、再生及びカメラ２に関する設定情報（最新の設定情報）を前回設定情報として記憶部３１に記憶させる（ステップＳ１１）。この実施の形態では、ガイドモードにおいて変更された設定情報だけでなく、ガイドモードにおいて変更されることなくデフォルトとして予め設定されている設定情報も前回設定情報としてすべて記憶されるものとする。なお、ガイドモードにおいて変更された設定情報のみを前回設定情報として記憶する構成にすることもできる。
【００３１】
そして、タイマーをオンすると同時に（ステップＳ１２）、カメラ２の電源をオフする（ステップＳ１３）。タイマーは、タイマーをオンしてから後述する所定時間（この実施の形態では８時間）が経過したか否かを計時するためのものであり、ガイドモードが解除された時（この実施の形態では、カメラ２の電源オフ時）から計時を開始させる。即ち、カメラ２の電源がオフされると、ガイドモードに設定されている状態であってもガイドモード下において撮影、再生等に関する設定を行うことができないため、ガイドモードが解除されたとみなし、計時を開始する。
【００３２】
次に、図１０に示すフローチャートを参照して、この実施の形態に係るカメラ２における電源オン時の制御部２６の動作について説明する。
【００３３】
まず、制御部２６は、ユーザーによりカメラ２の電源オンを指示する電源スイッチ４の押下がなされると（ステップＳ２０、Ｙｅｓ）、カメラ２の電源をオンする（ステップＳ２１）。そして、制御部２６は、モードダイヤル１０の操作位置１０ａが選択されているか否か、即ちガイドモードに再移行しているか否かを判別する（ステップＳ２２）。即ち、カメラ２の電源がオンされた時に既に操作位置１０ａが選択されている場合、またはカメラ２の電源がオンされた時に他の操作位置１０ｂ〜１０ｎが選択されており、その後ユーザーによりモードダイヤル１０が回され、操作位置１０ａが選択された場合には、制御部２６は、ガイドモードに再移行したと判別する（ステップＳ２２、Ｙｅｓ）。一方、カメラ２の電源がオンされた時に他の操作位置１０ｂ〜１０ｎが選択されている場合には、その後ユーザーにより操作位置１０ａが選択されない限り、制御部２６は、ガイドモードに再移行していないと判別する（ステップＳ２２、Ｎｏ）。
【００３４】
ステップＳ２２においてガイドモードに再移行したと判別された場合には（ステップＳ２２、Ｙｅｓ）、制御部２６は、図９のステップＳ１３においてカメラ２の電源がオフされた時から所定時間（この実施の形態では８時間）以内にガイドモードに再移行したか否かを判別する（ステップＳ２３）。具体的には、図９のステップＳ１２においてオンさせたタイマーが８時間以内を計時しているか否かを判別する。なお、所定時間は、予め設定され、記憶部３１に記憶されているが、変更可能である。所定時間を変更する場合には、メニューの中のメニュー項目として所定時間を変更設定する項目を加え、メニュー画面を背面液晶パネル１２に表示し、十字操作キー２２等を用いて操作することにより所定時間の長さを変更する。
【００３５】
ステップＳ２３において８時間以内にガイドモードに再移行したと判別された場合には（ステップＳ２３、Ｙｅｓ）、制御部２６は、図９のステップＳ１１において記憶部３１に記憶させた前回設定情報の存在を示すための存在表示であり、且つその前回設定情報の読出しを指示するための読出用表示として、例えば図１１に示すような「前回設定」のアイコンが表示された画面３３を、背面液晶パネル１２に表示する（ステップＳ２５）。即ち、制御部２６は、前回設定情報が記憶部３１に記憶されてから８時間を経過していないため、前回設定情報に基づく撮影条件で撮影した環境（被写体、場所及び天候等）と同一の環境である可能性があり、前回設定情報に基づく撮影条件と同一の撮影条件で撮影する可能性があると判断し、記憶部３１に記憶されている前回設定情報の読出しを指示するための読出用表示を表示する。この場合には、ユーザーは、「撮る」「見る」「設定する」以外に、記憶部３１に記憶されている前回設定情報の読出しを実行する項目「前回設定」を十字操作キー２２等を用いて選択することができる。なお、図１１では、「前回設定」が選択されている。
【００３６】
一方、ステップＳ２３において８時間以内にガイドモードに再移行していないと判別された場合には（ステップＳ２３、Ｎｏ）、制御部２６は、図９のステップＳ１１において記憶部３１に記憶させた前回設定情報の存在を示す存在表示（その前回設定情報の読出しを指示するための読出用表示）を表示しない画面、即ち図５に示す画面３２（「前回設定」アイコンが表示されない画面）を背面液晶パネル１２に表示する（ステップＳ２４）。即ち、制御部２６は、前回設定情報が記憶部３１に記憶されてから８時間を経過しているため、前回設定情報に基づく撮影条件で撮影する環境でなく、前回設定情報に基づく撮影条件と異なる撮影条件を設定するであろうと判断し、記憶部３１に記憶されている前回設定情報の存在を示す存在表示（その前回設定情報の読出しを指示するための読出用表示）を表示しない。この場合には、ユーザーは、「撮る」「見る・消す」「設定する」の何れかを選択し、制御部２６は、ユーザーの設定操作に従い、新たな撮影、再生、削除またはカメラ２に関する設定を行う。
【００３７】
なお、ステップＳ２３において所定時間以内にガイドモードに再移行していないと判別されると、撮影に関する設定情報（「撮る」を選択し、設定した設定情報）を記憶部３１から読出すことができず、撮影に関する設定を再度行う必要があるが、再生及びカメラ２に関する設定情報（「見る・消す」「設定する」を選択し、設定した設定情報）については、制御部２６により前回設定情報が読み出され、読み出された前回設定情報に基づいて再生及びカメラ２に関する設定がなされるものとする。例えば、電源オフする前に、ガイドモードにおいてスライドショーの時間間隔が２秒間から５秒間に変更された場合には、制御部２６は、電源オフする際に、スライドショーの時間間隔が５秒間であることを示す設定情報を記憶部３１に記憶させ、次に電源オンされ、ガイドモードに再移行した際に、記憶部３１から該設定情報を読出し、スライドショーの時間間隔を５秒間に設定する。したがって、ユーザーがガイドモードにおいて何も変更せずにスライドショーを開始させた場合には、画像が２秒間隔でなく５秒間隔で背面液晶パネル１２に順次自動的にコマ送りしながらスライドショー再生表示される。
【００３８】
また、ステップＳ２３において所定時間以内にガイドモードに再移行していないと判別された場合において、記憶部３１に記憶されている撮影に関する設定情報は、記憶部３１に記憶された状態を維持してもよく（しかし、読み出すことはできない）、または記憶部３１から削除してもよい。記憶部３１に記憶された状態が維持された場合においても、ユーザーによりガイドモードにおいて撮影に関する設定情報が変更され、カメラ２の電源をオフする際に、変更された最新の設定情報が前回設定情報として記憶部３１に上書き保存される。
【００３９】
次に、図１２に示すフローチャートを参照して、実施の形態に係るカメラ２において、ガイドモードに再移行した際に、存在表示（読出用表示／「前回設定」アイコン）が表示された場合における制御部２６の動作について説明する。
【００４０】
まず、制御部２６は、図１１に示す画面３３が背面液晶パネル１２に表示されている状態で、ユーザーが「前回設定」を選択したか否かを判別する（ステップＳ３０）。ステップＳ３０においてユーザーが「前回設定」を選択し（ステップＳ３０、Ｙｅｓ）、ユーザーによりＯＫ（決定）ボタン２３が押下されると、制御部２６は、記憶部３１に記憶されている前回設定情報を読み出す（ステップＳ３１）。
【００４１】
次に、制御部２６は、ステップＳ３１において記憶部３１から読み出した前回設定情報を表示し、ユーザーに確認させるための確認画面、例えば図１３に示すような確認画面３５を背面液晶パネル１２に表示する（ステップＳ３２）。確認画面３５には、前回設定情報として、ガイドモード下で設定され、記憶部３１に記憶されていたシャッタースピード、絞り値、フラッシュモード、レリーズモード及びＡＦエリアモードが表示されている。このとき、電源オフする前にガイドモードにおいて変更された設定情報のみを確認画面３５に表示してもよく、または、電源オフする前にガイドモードにおいて変更された設定情報と、変更されることなくデフォルトとして予め設定されている設定情報との両方を前回設定情報として確認画面３５に表示してもよい。また、撮影に関する設定情報（図５に示す「撮る」において設定した設定情報）のみを確認画面３５に表示してもよく、または、撮影に関する設定情報と、カメラ２に関する設定情報（図５に示す「設定する」において設定した設定情報）との両方を確認画面３５に表示してもよい。
【００４２】
ユーザーは、確認画面３５で前回設定情報を確認し、前回設定情報に基づいて設定された撮影条件で撮影を行う場合には、確認画面３５上の「撮影を始める」を選択し、ＯＫ（決定）ボタン２３を押下する。なお、前の画面３３に戻る場合には、十字操作キー２２の左ボタン、またはメニューボタン１６を押下する。
【００４３】
制御部２６は、ユーザーにより十字操作キー２２の左ボタン、またはメニューボタン１６の押下がなされると、「撮影を始める」が選択されなかったと判別し（ステップＳ３３、Ｎｏ）、図１１に示す画面３３を背面液晶パネル１２に表示する。そして、ステップＳ３０の処理に戻り、ステップＳ３０〜Ｓ３３の処理を繰り返す。
【００４４】
一方、制御部２６は、ユーザーにより「撮影を始める」が選択されたと判別し（ステップＳ３３、Ｙｅｓ）、ユーザーによりＯＫ（決定）ボタン２３の押下がなされると、ステップＳ３１において記憶部３１から読み出した前回設定情報に基づいて撮影条件等を設定する（ステップＳ３４）。そして、上述したように、ガイドモード下で設定されたものであるか否かを示すマーク、設定されているシャッタースピード、絞り値、オートフォーカスエリア、画質モード、画像サイズ、ホワイトバランス、ＩＳＯ感度、測光モード等が表示された撮影待機画面（図示せず）を背面液晶パネル１２に表示する（ステップＳ３５）。
【００４５】
なお、ステップＳ３０においてユーザーが「前回設定」を選択せず（ステップＳ３０、Ｎｏ）、「撮る」「見る・消す」「設定する」の何れかを選択した場合には、制御部２６は、記憶部３１から前回設定情報を読み出すことなく、ユーザーの設定操作に従い、新たな撮影、再生、削除またはカメラ２に関する設定を行う。
【００４６】
第１の実施の形態に係るカメラ２によれば、電源オフする際にガイドモードにおいて設定されている撮影、再生及びカメラ２に関する設定情報を前回設定情報として記憶部３１に記憶させ、所定時間以内に電源オンされ、ガイドモードに再移行した際に、読出用表示を背面液晶パネル１２に表示する。したがって、所定時間以内であれば、前回設定情報を読み出すことができ、前回設定情報に基づく撮影条件の設定を容易かつ迅速に行うことができるため、前回設定情報に基づく撮影条件と同一の撮影条件での撮影を迅速に行うことができる。例えば、体育際等で、午前中、ガイドモードにおいて撮影に関する設定を行い、設定された撮影条件で撮影を行い、昼食時、一旦電源オフし、午後になって再度電源オンし、午前中にガイドモードにおいて設定した撮影条件と同一の撮影条件で撮影したい場合等、電源オフする前と電源オンした後での環境が同一の場合、再度同様の設定を行う必要がなく、電源オンしてガイドモードに再移行した際、電源オフする前の撮影条件に容易かつ迅速に設定可能である。
【００４７】
次に、図面を参照して、本発明の第２の実施の形態に係るカメラについて説明する。なお、第２の実施の形態に係るカメラの構成は、第１の実施の形態に係るカメラ２の構成と同一のため、その説明を省略し、第２の実施の形態に係るカメラの動作については、図４に示すカメラ２の構成と同一の構成には同一の符号を用いてその説明を行う。
【００４８】
この実施の形態に係るカメラでは、ガイドモードにおいて設定された撮影、再生及びカメラに関する設定情報を前回設定情報としてユーザーが手動で記憶部３１に記憶させることができる。例えば、第１の実施の形態に係るカメラ２と同様に、ガイドモードにおいて「撮る」が選択され（図５参照）、「テクニックを使って撮る」が選択され（図６参照）、「人物の動きを止めて撮る」が選択された後（図７参照）、シャッタースピードを設定するための画面において、ユーザーによりシャッタースピードが設定され、ＯＫ（決定）ボタン２３が押下されると、制御部２６は、図８に示す画面４６に代えて、図１４に示すような画面４８を背面液晶パネル１２に表示する。ユーザーは、ガイドモードにおいて設定したシャッタースピード等の設定情報を前回設定情報として保存したい場合には、画面４８上の「設定を保存する」を選択し、ＯＫ（決定）ボタン２３を押下する。そして、制御部２６は、ユーザーの操作指示に従い、前回設定情報を記憶部３１に記憶させる。なお、図１４では、「設定を保存する」が選択されている。
【００４９】
また、ガイドモードにおいて撮影に関する設定を行った後、ガイドモードを一旦解除し、他のモードに移行し、その後ガイドモードに再移行した場合、またはガイドモードに設定されている状態でメニューボタン１６が押下された場合等、制御部２６は、図５に示す画面３２に代えて、図１５に示す画面５０を背面液晶パネル１２に表示する。ユーザーは、ガイドモードにおいて設定したシャッタースピード等の設定情報を前回設定情報として保存したい場合には、画面５０上の「設定保存」を選択し、ＯＫ（決定）ボタン２３を押下する。そして、制御部２６は、ユーザーの操作指示に従い、前回設定情報を記憶部３１に記憶させる。なお、図１５では、「設定保存」が選択されている。
【００５０】
また、この実施の形態に係るカメラは、ユーザーが前回設定情報を保存することなく、カメラの電源をオフしようとしたとき、前回設定情報を保存するか否かを確認する機能を有している。以下、図１６に示すフローチャートを参照して、この実施の形態に係るカメラにおける電源オフ時の制御部２６の動作について説明する。
【００５１】
まず、制御部２６は、モードダイヤル１０の操作位置１０ａが選択されている状態、即ちガイドモードに設定されている状態で、ユーザーによりカメラの電源オフを指示する電源スイッチ４の押下がなされると（ステップＳ４０、Ｙｅｓ）、ガイドモード下における撮影、再生及びカメラに関する設定情報（最新の設定情報）が前回設定情報として記憶部３１に既に記憶されているか否かを判別する（ステップＳ４１）。
【００５２】
即ち、ユーザーが、電源スイッチ４を押下する前に、ガイドモードにおいて設定された撮影、再生及びカメラに関する設定情報を前回設定情報として記憶部３１に記憶させている場合には、制御部２６は、前回設定情報が記憶部３１に既に記憶されていると判別する（ステップＳ４１、Ｙｅｓ）。一方、ユーザーが、電源スイッチ４を押下する前に、前回設定情報を記憶部３１に記憶させていない場合には、制御部２６は、前回設定情報が記憶部３１に記憶されていないと判別する（ステップＳ４１、Ｎｏ）。
【００５３】
ステップＳ４１において前回設定情報が記憶部３１に記憶されていないと判別された場合には（ステップＳ４１、Ｎｏ）、制御部２６は、前回設定情報を記憶部３１に記憶させるか否かを確認する確認画面、例えば図１７に示すような確認画面５２を背面液晶パネル１２に表示する（ステップＳ４２）。確認画面５２には、前回設定情報として、ガイドモード下で設定されたシャッタースピード、絞り値、フラッシュモード、レリーズモード及びＡＦエリアモードが表示されている。ユーザーは、前回設定情報を記憶部３１に記憶させてからカメラ２の電源をオフする場合には「設定保存して電源オフ」を、前回設定情報を記憶部３１に記憶させないでカメラ２の電源をオフする場合には「設定保存せずに電源オフ」を、十字操作キー２２等を用いて選択する。なお、図１７では、「設定保存して電源オフ」が選択されている。
【００５４】
次に、制御部２６は、ユーザーが「設定保存して電源オフ」を選択したか否かを判別する（ステップＳ４３）。ステップＳ４３においてユーザーにより「設定保存して電源オフ」が選択され（ステップＳ４３、Ｙｅｓ）、ＯＫ（決定）ボタン２３が押下されると、制御部２６は、前回設定情報を記憶部３１に記憶させる（ステップＳ４４）。そして、そして、タイマーをオンすると同時に（ステップＳ４５）、カメラ２の電源をオフする（ステップＳ４６）。なお、ステップＳ４５及びＳ４６の処理は、図９に示すステップＳ１２及びＳ１３の処理を同一のため、詳細な説明を省略する。また、ステップＳ４１において前回設定情報が記憶部３１に既に記憶されていると判別された場合には（ステップＳ４１、Ｙｅｓ）、制御部２６は、ステップＳ４５の処理に進み、ステップＳ４５及びＳ４６の処理を行う。
【００５５】
一方、ステップＳ４３においてユーザーにより「設定保存して電源オフ」が選択されていないと判別された場合（ステップＳ４３、Ｎｏ）、即ちユーザーが「設定保存せずに電源オフ」を選択し、ＯＫ（決定）ボタン２３を押下した場合には、制御部２６は、前回設定情報を記憶部３１に記憶させず、カメラ２の電源をオフする（ステップＳ４６）。
【００５６】
なお、第２の実施の形態に係るカメラにおいて、電源オンした時の制御部２６の動作、及びガイドモードに再移行した際に存在表示（読出用表示／「前回設定」アイコン）が表示された場合における制御部２６の動作は、第１の実施の形態に係るカメラ２における制御部２６の動作（図１０及び図１２に示すフローチャート参照）と同一であるため、その説明を省略する。
【００５７】
第２の実施の形態に係るカメラによれば、前回設定情報を記憶部３１にユーザー操作により手動で記憶させることができ、カメラの電源をオフする時に前回設定情報を記憶部３１に記憶させていない場合には、設定保存して電源オフするか設定保存せずに電源オフするかを確認する確認画面が表示される。したがって、ユーザーは、確認画面が表示されることにより前回設定情報が記憶部３１に記憶されていないことを確認することができる。また、電源オフする前に前回設定情報を記憶部３１に記憶させるか否かを選択することができる。したがって、ユーザーが前回設定情報を記憶部３１に記憶させることを望んでいながら、記憶させることなく電源オフされることを防止することができる。一方、ユーザーが前回設定情報を記憶部３１に記憶させることを望んでいない場合には、記憶させることなく電源オフすることができる。例えば、所定時間以内に、同一の撮影条件で撮影する予定がある場合には、前回設定情報を記憶部３１に記憶させて電源オフし、所定時間以内に、同一の撮影条件で撮影する予定がない場合には、前回設定情報を記憶部３１に記憶させないで電源オフすることができる。
【００５８】
なお、第２の実施の形態においては、ガイドモードを解除（電源オフ）してから所定時間以内にガイドモードに再移行しない場合には存在表示（読出用表示）を背面液晶パネル１２に表示していないが、ユーザーが記憶させる必要があると判断し、ユーザー操作により手動で記憶させた前回設定情報であるため、所定時間経過後においても読出用表示を背面液晶パネル１２に表示し、いつでも前回設定情報を読出すことができる構成にしてもよい。
【００５９】
また、上述の各実施の形態では、図１０に示すステップＳ２４において、図５に示す画面３２（「前回設定」アイコンを表示しない画面）を背面液晶パネル１２に表示させているが、図１１に示す画面３３と同様の構成を有する画面を背面液晶パネル１２に表示し、「前回設定」アイコンを選択不可能なアイコンとして表示（例えば、グレーアウト表示）させてもよい。
【００６０】
また、上述の各実施の形態においては、所定時間が８時間に予め設定されており、変更可能に構成されているが、ガイドモードが解除された時の時間帯に基づいて所定時間が設定される構成にしてもよい。具体的には、周囲環境が明るい時間帯（例えば昼間の時間帯）にガイドモードが解除された場合と、周囲環境が暗い時間帯（例えば夜間の時間帯）にガイドモードが解除された場合より長い時間に設定される構成にするとよい。また、ガイドモードが解除された時から日付が変わる時までの時間（例えば、１４時にガイドモードが解除された場合には日付が変わる時までの１０時間）を所定時間として設定する構成にしてもよい。
【００６１】
また、上述の各実施の形態においては、再生及びカメラ２に関する設定については、所定時間経過後においても前回設定情報を読出可能に構成されているが、撮影に関する設定と同様、所定時間経過後においては前回設定情報を読み出すことができない構成にすることもできる。
【００６２】
また、撮影に関する設定情報を記憶している場合と、再生及びカメラ２に関する設定情報を記憶している場合とで異なる所定時間を設定することもできる。この場合には、撮影に関する設定情報を記憶している場合の所定時間（以下、第１所定時間という）を、再生及びカメラ２に関する設定情報を記憶している場合の所定時間（以下、第２所定時間という）より短く設定するとよい。
【００６３】
上述のように、ガイドモードが解除された時の時間帯に基づいて所定時間が設定される場合、または、第１所定時間と第２所定時間とが異なる場合には、ガイドモードが解除される際に、所定時間に関する情報を報知する報知画面を背面液晶パネル１２に表示することが望ましい。例えば「撮影に関する設定情報はこれから８時間保存されます。」や「撮影に関する設定情報はこれから８時間保存されます。再生及びカメラに関する設定情報はこれから３６時間保存されます。」等のメッセージを表示した報知画面を背面液晶パネル１２に表示させる。具体的には、第１の実施の形態においては、ユーザーが電源スイッチ４を押下した後であってカメラ２の電源がオフされる前に、この報知画面を表示するとよい。第２の実施の形態においては、図１６に示すステップＳ４２において図１７に示す確認画面５２を表示した後に上述の報知画面を、または図１７に示す確認画面５２に所定時間に関する情報を報知するメッセージを追加して表示するとよい。
【００６４】
また、上述の各実施の形態においては、図１０に示すステップＳ２５において、図１１に示す画面３３を背面液晶パネル１２に表示させているが、画面３３に代えて、例えば図１８に示すような画面５４を背面液晶パネル１２に表示させてもよい。画面５４には、３個の「前回設定」アイコン５６ａ，５６ｂ，５６ｃが表示されている。「前回設定」アイコン５６ａは撮影に関する設定情報の存在を示す存在表示（その前回設定情報の読出しを指示するための読出用表示）、「前回設定」アイコン５６ｂは再生に関する設定情報の存在を示す存在表示（その前回設定情報の読出しを指示するための読出用表示）、「前回設定」アイコン５６ｃはカメラに関する設定情報の存在を示す存在表示（その前回設定情報の読出しを指示するための読出用表示）である。即ち、ユーザーが「前回設定」アイコン５６ａを選択し、ＯＫ（決定）ボタン２３を押下した場合には、制御部２６は、記憶部３１に記憶されている前回設定情報の中から撮影に関する前回設定情報のみを記憶部３１から読出す。同様に、「前回設定」アイコン５６ｂ（または５６ｃ）が選択され、ＯＫ（決定）ボタン２３を押下されると、制御部２６は、再生（またはカメラ）に関する前回設定情報のみを記憶部３１から読出す。この場合には、撮影、再生またはカメラに関する前回設定情報を個別に読み出すことができる。また、撮影、再生またはカメラに関する前回設定情報を個別に記憶部３１に記憶させることもでき、記憶する所定時間を個別に設定することもできる。
【００６５】
また、上述の各実施の形態においては、ガイドモードに設定されている状態でカメラの電源をオフするとき、前回設定情報を記憶部３１に記憶させているが、カメラの電源をオンしている状態でガイドモードが解除されたとき（他のモードに移行したとき）にも、前回設定情報を記憶部３１に記憶させる。この場合には、ガイドモードが解除されたとき（他のモードに移行したとき）から所定時間の計時を開始する。そして、カメラの電源をオンしている状態で（カメラの電源をオフすることなく）、他のモードから所定時間以内にガイドモードに再移行したとき、存在表示（読出用表示）の表示を行う。また、他のモードからガイドモードに再移行されることなく（他のモードに設定されている状態で）カメラの電源がオフされたとき、次にカメラの電源がオンされ、他のモードからガイドモードに移行したとき、計時を開始してから所定時間が経過していない場合には、存在表示（読出用表示）の表示を行う。
【００６６】
また、上述の各実施の形態においては、ガイドモードにおいて設定された撮影、再生及びカメラに関する設定情報のすべてを記憶部３１に記憶させているが、撮影、再生及びカメラに関する設定情報の少なくとも１つを記憶させる構成にしてもよい。
【００６７】
また、第１及び第２の実施の形態に係るカメラを組み合わせたカメラを構成することもできる。具体的には、前回設定情報をユーザーが手動で保存することができ、かつガイドモードが解除させる際に前回設定情報を自動的に記憶部３１に記憶させるカメラを構成することもできる。この場合には、記憶部３１内の前回設定情報を手動で記憶させる領域と、前回設定情報を自動で記憶させる領域とを同一の領域にしてもよく、または異なる領域にしてもよい。同一の領域とする場合には、最新の前回設定情報が記憶部３１に記憶される（上書きされる）。
【００６８】
一方、異なる領域とする場合には、ユーザーが手動で記憶させる前回設定情報（第１設定情報という）と、カメラが自動で記憶させる前回設定情報（第２設定情報という）との両方が保存される。この場合には、図１０に示すステップＳ２５において、図１１に示す画面３３に代えて、例えば図１９に示すような画面５８を背面液晶パネル１２に表示させる。画面５８には、「前回設定」アイコン６０及び「マイ設定」アイコン６２が表示されている。「前回設定」アイコン６０は第２設定情報の読出しを指示するための読出用表示、「マイ設定」アイコン６２は第１設定情報の読出しを指示するための読出用表示である。即ち、ユーザーが「前回設定」アイコン６０を選択し、ＯＫ（決定）ボタン２３を押下した場合には、制御部２６は、記憶部３１の所定領域に記憶されている第２設定情報を記憶部３１から読出す。一方、ユーザーが「マイ設定」アイコン６２を選択し、ＯＫ（決定）ボタン２３を押下した場合には、制御部２６は、記憶部３１の所定領域と異なる領域に記憶されている第１設定情報を記憶部３１から読出す。
【００６９】
更に、２つ以上の第１設定情報を記憶可能な構成にすることもできる。この場合には、図１０に示すステップＳ２５において、図１９に示す画面５８に代えて、「撮る」「見る・消す」「設定する」に追加して「前回設定」「マイ設定１」「マイ設定２」等のアイコンが表示される画面を背面液晶パネル１２に表示させる。ユーザーが「前回設定」を選択し、ＯＫ（決定）ボタン２３を押下した場合には、制御部２６は、記憶部３１の所定領域に記憶されている第２設定情報を記憶部３１から読出す。一方、ユーザーが「マイ設定１」を選択した場合には、記憶部３１の所定領域と異なる第１領域に記憶されている一方の第１設定情報を、「マイ設定２」を選択した場合には、記憶部３１の所定領域及び第１領域と異なる第２領域に記憶されている他方の第１設定情報を記憶部３１から読み出す。なお、第１設定情報については、所定時間経過後も読出し可能にしておくとよい。
【符号の説明】
【００７０】
２…カメラ、４…電源スイッチ、６…レリーズスイッチ、１０…モードダイヤル、１２…背面液晶パネル、１４…再生ボタン、１６…メニューボタン、１８…縮小ボタン、２０…拡大ボタン、２２…十字操作キー、２３…ＯＫ（決定）ボタン、２６…制御部、２８…撮像素子、３０…記録媒体、３１…記憶部。
【図１】
2011135392.tif 000003
【図２】
2011135392.tif 000004
【図３】
2011135392.tif 000005
【図４】
2011135392.tif 000006
【図５】
2011135392.tif 000007
【図６】
2011135392.tif 000008
【図７】
2011135392.tif 000009
【図８】
2011135392.tif 000010
【図９】
2011135392.tif 000011
【図１０】
2011135392.tif 000012
【図１１】
2011135392.tif 000013
【図１２】
2011135392.tif 000014
【図１３】
2011135392.tif 000015
【図１４】
2011135392.tif 000016
【図１５】
2011135392.tif 000017
【図１６】
2011135392.tif 000018
【図１７】
2011135392.tif 000019
【図１８】
2011135392.tif 000020
【図１９】
2011135392.tif 000021